(57)【要約】【課題】逆持ちによる使用時において、持ち易くて作業性がよく安全に使用することができ、感触や操作感にも優れるステープラ。【解決手段】多数のステープルを収容するマガジン部３と、先端部にマガジン部３に収容されたステープルを綴じ用紙に向けて打ち出すドライバプレート４を備えたハンドル部５とを、上記マガジン部３から打ち出されたステープルの脚部を折曲させるクリンチャ溝６を先端部に備えたベース１の後端部の支軸２に回動自在に支持させたステープラにおいて、上記ハンドル部５の基部に合成樹脂製の保護カバー１４を取り付け、この保護カバー１４によって上記ハンドル部５の上面と上記支軸２の端面が露出する側面とを覆ったことを特徴とする。【選択図】図１
2008100341.tif 000002
【特許請求の範囲】
【請求項１】
多数のステープルを収容するマガジン部と、先端部にマガジン部に収容されたステープルを綴じ用紙に向けて打ち出すドライバプレートを備えたハンドル部とを、上記マガジンから打ち出されたステープルの脚部を折曲させるクリンチャ溝を先端部に備えたベースの後端部の支軸に回動自在に支持させたステープラにおいて、
上記ハンドル部の基部に合成樹脂製の保護カバーを取り付け、この保護カバーによって上記ハンドル部の上面と上記支軸の端面が露出する側面とを覆ったことを特徴とするステープラ。
【請求項２】
上記保護カバーには逆持ち時に親指にフィットする窪み部を形成したことを特徴とする、請求項１に記載のステープラ。
【請求項３】
上記窪み部を上記保護カバー上面部の右側と左側に形成したことを特徴とする、請求項１又は２に記載のステープラ。
【請求項４】
上記窪み部を上記保護カバーの中央に形成したことを特徴とする、請求項１又は２に記載のステープラ。
【請求項５】
上記保護カバーに、上記ハンドル部を開いて上記ベースに対して真直状となるように展開したときに、上記ベースの基部から突出したリムーバーを収納する収納溝を形成したことを特徴とする、請求項１〜４のいずれかに記載のステープラ。
【請求項６】
上記ハンドル部の側面と上記保護カバーの両側部とを係止させ、上記ハンドル部の底面部と上記保護カバーの上側部とをかしめて固定させたことを特徴とする、請求項１に記載のステープラ。
【請求項７】
上記窪み部に滑り止めを形成したことを特徴とする、請求項２に記載のステープラ。
【請求項８】
上記窪み部に代えて突状部としたことを特徴とする、請求項２〜４のいずれかに記載のステープラ。
【請求項９】
上記ハンドル部の先端部に合成樹脂製のカバーを設けるとともに、上記保護カバーと前記カバーとを別体に設けたことを特徴とする、請求項１〜８のいずれかに記載のステープラ。
【請求項１０】
上記ハンドル部の先端部に合成樹脂製のカバーを設けるとともに、上記保護カバーと上記カバーとを一体に設けたことを特徴とする、請求項１〜８のいずれかに記載のステープラ。
【発明の詳細な説明】
【技術分野】
【０００１】
本発明は、主に事務用に供されるステープラの回動の支点となる基部、特にドライバプレートを備えたハンドル部の基部の改善に関するステープラに関する。
【背景技術】
【０００２】
一般に、この種のステープラは、特許文献１に示されるように、先端にクリンチャ溝を形成したベースと複数のステープルを装填したマガジンとの間に被綴り用紙を挟み、マガジンの上部のハンドル部をマガジン側に押し付けることにより、ハンドル部に設けたドライバプレートでマガジン内の先頭のステープルを打ち出して被綴り用紙を貫通させ、貫通したステープルの脚部をベースのクリンチャ溝で折り曲げて綴じるものである。
【０００３】
従来のステープラにおいては、使用時に親指が当たるハンドル部先端の上側について、フィット感を向上させる目的で板金を凹形形状としたり、凹形形状を施した合成樹脂製のカバーを取り付けたものが多かった。これはステープラの握り方として、上記ハンドル部の先端の上側に親指を当てて握るいわゆる順手を想定していることによる。
【０００４】
ところが、実際の使用状況においては、通常とは逆に、ステープラの基部側を上にし、ステープルの打込み側を下にして握り、ハンドル部の基部に親指を当てて持つ、いわゆる逆持ちでステープラを握って使用することも少なくない。
【特許文献１】特開平１１−２８６８２号公報
【発明の開示】
【発明が解決しようとする課題】
【０００５】
しかしながら、上記逆持ちでの使用はステープラの設計には反映されていなかった。このため、ハンドル部の基部は金属がむき出しのままとなっており、逆持ちの際、滑りやすくてホールドが不安定であるだけでなく、ハンドル部とマガジンとをベースに回動自在に支持する支軸が側方に突出することがあり、感触が悪いだけでなく、力を入れるときに痛みを感じるので、操作感もよくなかった。
【０００６】
また、ステープルを対象物に打込むタッキング作業においては、ハンドル部を開いて上記ベースに対して真直状となるように展開して行うのであるが、展開時にベースの基部から突出しているリムーバ（薄い板金の刃）がハンドル部の基部の上面に回りこむので、ハンドル部とリムーバとの間に指を挟む虞があった。
【０００７】
本発明は上記問題点に鑑みてなされたものであり、特に逆持ちによる使用時において、持ち易くて作業性がよく安全に使用することができ、感触や操作感にも優れるステープラを提供することを課題とする。
【課題を解決するための手段】
【０００８】
上記課題を解決するため、請求項１に係る発明は、多数のステープルを収容するマガジン部と、先端部にマガジン部に収容されたステープルを綴じ用紙に向けて打ち出すドライバプレートを備えたハンドル部とを、上記マガジンから打ち出されたステープルの脚部を折曲させるクリンチャ溝を先端部に備えたベースの後端部の支軸に回動自在に支持させたステープラにおいて、上記ハンドル部の基部に合成樹脂製の保護カバーを取り付け、この保護カバーによって上記ハンドル部の上面と上記支軸の端面が露出する側面とを覆ったことを特徴とする。
【０００９】
請求項２に係る発明は、請求項１において、上記保護カバーには逆持ち時に親指にフィットする窪み部を形成したことを特徴とする。
【００１０】
請求項３に係る発明は、請求項１又は２において、上記窪み部を上記保護カバー上面部の右側と左側に形成したことを特徴とする。
【００１１】
請求項４に係る発明は、請求項１又は２において、上記窪み部を上記保護カバーの中央に形成したことを特徴とする。
【００１２】
請求項５に係る発明は、請求項１、２、３又は４において、上記保護カバーに、上記ハンドル部を開いて上記ベースに対して真直状となるように展開したときに、上記ベースの基部から突出したリムーバーを収納する収納溝を形成したことを特徴とする。
【００１３】
請求項６に係る発明は、請求項１において、上記ハンドル部の側面と上記保護カバーの両側部とを係止させ、上記ハンドル部の底面部と上記保護カバーの上側部とをかしめて固定させたことを特徴とする。
【００１４】
請求項７に係る発明は、請求項２において、上記窪み部に滑り止めを形成したことを特徴とする。
【００１５】
請求項８に係る発明は、請求項２〜４のいずれかにおいて、上記窪み部に代えて突状部としたことを特徴とする。
【００１６】
請求項９に係る発明は、請求項１〜８のいずれかにおいて、上記ハンドル部の先端部に合成樹脂製の樹脂カバーを設けるとともに、上記保護カバーと前記樹脂カバーとを別体に設けたことを特徴とする。
【００１７】
請求項１０に係る発明は、請求項１〜８のいずれかにおいて、上記ハンドル部の先端部に合成樹脂製の樹脂カバーを設けるとともに、上記保護カバーと上記樹脂カバーとを一体に設けたことを特徴とする。
【発明の効果】
【００１８】
請求項１の発明によれば、ステープラを逆持ちして使用する場合、親指に当たる部分に保護カバーが取り付けられているので、金属に比べて滑りにくく、感触がよく、持ちやすいのでホールド性がよい。また、保護カバーの両側部はベースの支軸の端部を覆っているので、綴り作業時に力を加えても痛くないため、操作感がよく、作業性もよい。
【００１９】
また、保護カバーの両側部によってベースの支軸が覆われているので、安全であるだけでなく、支軸が外部に露出しないので、全体の外観が向上する。
【００２０】
請求項２に係る発明によれば、保護カバーには逆持ち時に親指にフィットする窪み部が形成されているので、ステープラを逆持ちにして使用する際に力を入れて作業しても親指がフィット形状部から外れにくいため、作業性や操作性がよく、綴り動作を安定して行うことができる。
【００２１】
請求項３又は請求項４に係る発明によれば、窪み部が保護カバー上面部の右側と左側又は中央部に形成されているので、右利きでも左利きでも対応することができる。
【００２２】
請求項５に係る発明によれば、保護カバーに、ハンドル部を開いてベースに対して真直状となるように展開したときに、上記ベースの基部から突出したリムーバーを収納する収納溝が形成されているので、タッキング作業においては、リムーバを保護カバーの収納溝に収納することにより、ハンドル部とリムーバとの間に指を挟んだり、ぶつけて怪我をすることがなく、作業時の安全を確保することができる。
【００２３】
請求項６に係る発明によれば、ハンドル部の側面と保護カバーの両側部とを係止させ、上記ハンドル部の底面部と上記保護カバーの上側部とをかしめて固定したから、保護カバーを容易かつ確実に取り付けることができる。
【００２４】
請求項７に係る発明によれば、窪み部に滑り止めが形成されているので、綴じ作業を確実に行うことができる。
【００２５】
請求項８に係る発明によれば、保護カバーには突状部が形成されているので、逆持ち時には上記突状部に親指を掛けたときのホールド性がよく、ステープラを逆持ちにして使用する際に力を入れて作業しても親指が外れにくいので、作業性や操作性がよく、綴り動作を安定して行うことができる。
【００２６】
請求項９に係る発明によれば、ハンドル部の先端部の合成樹脂製の樹脂カバーと上記保護カバーとを別体に設けたので、必要な部分のみを覆うことによってコストを低く抑えることができる。
【００２７】
請求項１０に係る発明によれば、ハンドル部の先端部の合成樹脂製の樹脂カバーと上記保護カバーとを一体に設けたので、全体のデザインに統一感や一体感を表出することができる。
【発明を実施するための最良の形態】
【００２８】
以下、本発明の実施の形態について図を用いて説明する。図１は本実施形態に係るステープラの斜視図、図２（ａ）（ｂ）はそれぞれその側面図と背面図であり、図３はその概略構成を示す断面図である。このステープラは、ベース１の後端部の支軸２に、多数のステープルを収容するマガジン部３と、先端部にマガジン部３に収容されたステープル（図示せず）を綴じ用紙に向けて打ち出すドライバプレート４を備えたハンドル部５とを回動自在に支持させてなるものである。
【００２９】
ベース１の先端部にはマガジン部３から打ち出されたステープルの脚部を折曲させるクリンチャ溝６が形成され、基部には支持壁７が起立形成されている。また、ベース１の後端には、被綴り用紙を綴じたステープルを取り外すために用いる薄板状で先端が細くなっているリムーバ８が突出形成されている。
【００３０】
マガジン部３には複数のステープルが装填されているとともに、先端部には先頭のステープルを打ち出す打ち出し部１０が形成されている。装填されたステープルの後端にはプッシャ１１が係合し、プッシャ１１はバネ１２によってステープルを常時打ち出し部１０側に移動するように付勢されている。
【００３１】
なお、マガジン部３は、ベース１の基部に設けられた板バネ１３によって常にベース１に対して一定の間隔が保持されるように付勢されている。
【００３２】
ハンドル部５は横断面が下向きに開口したコの字形に形成され、内側の先端にはドライバプレート４が形成されている。また、ハンドル部５の下部にはステープル押さえ１５が一体的に設けられている。ステープル押さえ１５の基部は上記支軸２に係合され、先端はドライバプレート４の高さ方向に摺動可能に保持され、ハンドル部５の上底部に取り付けられたバネ板１６によってマガジン部３側に回動するように付勢されている。
【００３３】
上記構成により、ベース１と複数のステープルを装填したマガジン部３との間に被綴り用紙Ｐをはさみ、ハンドル部５をマガジン部３側に押しつけることにより、ドライバプレート４でマガジン部３内の先頭のステープルを打ち出し部１０から打ち出して被綴り用紙を貫通させ、貫通したステープルの脚部をベース１のクリンチャ溝６で折り曲げて綴じることができる。
【００３４】
なお、ハンドル部５とベース１の先端部には合成樹脂製の樹脂カバー１７、１８が固定されている。ハンドル部５の樹脂カバー１７には窪み部１９が形成されている。
【００３５】
また、上記マガジン部３はベース１の支持壁７の内側に、上記ハンドル部５は上記支持壁７の外側に配置され、共通の支軸２によって回動自在に支持されている。支軸２の両端はハンドル部５の両側面に露出している。
【００３６】
ところで、上記ステープラには、ハンドル部５の基部の上面に合成樹脂製の保護カバー１４が被せられている。この保護カバー１４は金属に比べて軟質である。
【００３７】
上記保護カバー１４は上面部１４ａと両側部１４ｂとから断面下向きコ字形に形成されている。両側部１４ｂ間の間隔は上記ハンドル部５の幅と略同じに形成されている。すなわち、ハンドル部５の基部に嵌め合うように形成され、保護カバー１４の上面部１４ａはハンドル部５の上面を、両側部１４ｂはハンドル部５の側面を覆っており、上面部１４ａの上端は平らになっている。また、図４（ａ）（ｂ）に示されるように、保護カバー１４の上面部１４ａの裏面には突起２０が、両側部１４ｂの内面には係止突部２１が形成されている。そして、保護カバー１４はハンドル部５に対し、両側部１４ｂの係止突部２１をハンドル部５の側面に形成した係止孔２２に係止させるとともに、上記突起２０をハンドル部５の上面に形成された取付孔２３を貫通させてかしめることによって取り付けられている。
【００３８】
上記保護カバー１４の両側部１４ｂはベース１の支軸２の両端部を覆っている。
【００３９】
また、図１によく示されているように、保護カバー１４の上面部１４ａには、窪み部２４が形成されている。この窪み部２４は、図５に示すようにステープラを逆持ちしたときに親指３０にフィットする形状になっている。また、上記窪み部２４は保護カバー１４の上面部の右側と左側に形成されている。しかし、図７に示されるように、上記窪み部２４は保護カバー１４の中央に形成してもよい。また、上記窪み部２４又はその近傍に滑り止め２４ａを形成するようにしてもよい。滑り止めは凹凸であっても滑りにくい材質であってもよい。
【００４０】
次に、上記窪み部２４の基端部の裏側には、図４（ａ）及び図６（ａ）（ｂ）に示されるように、ハンドル部５の上面上に収納溝２５が形成されている。この収納溝２５はハンドル部５の延長方向に開口され、上記ハンドル部５を開いて上記ベース１に対して真直状となるように展開したときに、上記ベース１の基部から突出したリムーバ８を収納することができるように形成されている。
【００４１】
ステープラのハンドル部５の基部には上述の保護カバー１４が取り付けられているから、次のような作用効果を得ることができる。
（１）図５のように、ステープラを逆持ちして使用する場合、親指３０に当たる部分の上面部１４ａに窪み部２４を有した保護カバー１４が取り付けられているので、金属に比べて滑りにくく、感触がよく、持ちやすいのでホールド性がよい。また、保護カバー１４の両側部１４ｂはベース１の支軸２の端部を覆っているので、綴り作業時に力を加えても痛くないため、操作感がよく、作業性もよい。
（２）上記保護カバー１４には窪み部２４が形成されている。通常の場合、ステープラを逆持ちしたときに親指３０が当たるのは、ハンドル部５の基部の角部であり、この部分が親指３０にフィットする形状になっている。このように、親指３０がかかって逆持ち操作のときに支点となる部分に窪み部２４が形成されているので、綴り動作を安定して行うことができる。
（３）上記窪み部２４は右側と左側に形成されていれば、右利きでも左利きでも対応することができる。もちろん、上記窪み部２４を保護カバー１４の中央に形成しても右利き、左利きに対応することができる。
（４）上記保護カバー１４を断面コ字形に形成し、その両側部１４ｂによって上記ベース１の支軸２が覆われているので、上述のように安全であるだけでなく、支軸２が外部に露出しないので、全体の外観が向上する。
（５）上記ハンドル部５の側面部と上記保護カバー１４の両側部１４ｂおよび上記ハンドル部５の底面部と上記保護カバー１４の上側部とをそれぞれ互いに係止させたことで別途のピン等の係合部品を必要とせず取付られる。
（６）上記窪み部２４に滑り止めを形成すれば、親指が滑りにくいので、ステープラを逆持ちにして使用する際に力を入れて作業しても親指がフィット形状部から外れにくいため、作業性や操作性がよい。
（７）ステープルを対象物に打込むタッキング作業においては、ハンドル部５を開いて上記ベース１に対して真直状となるように展開して行うのであるが、展開時にベース１の基部から突出しているリムーバ８がハンドル部５の基部の上面に回りこんだ後、保護カバー１４の収納溝２５に収納されるので、ハンドル部５とリムーバ８との間に指を挟んだり、ぶつけて怪我をすることがなく、作業時の安全を確保することができる。
（８）両側部１４ｂの支軸２に対応する部分には円形部が形成されている。この円形部は回転中心であることを連想させるので、自然な外観が得られる。
（９）上記保護カバー１４はハンドル部の先端部の樹脂カバー１７とは別体に設けられているので、必要な部分のみを覆うことによってコストを低く抑えることができる。
【００４２】
なお、親指を掛ける部位の形状は、指掛かりとして有効であればよく、必ずしも窪みにする必要はない。突状に形成されたものであってもよい。例えば、図１の上面部１４ａは左右の窪み部２４の間に突状となっており、突状部を構成するが、逆持ち時には上記突状部１４ａに親指を掛けたときのホールド性がよく、ステープラを逆持ちにして使用する際に力を入れて作業しても親指が外れにくいので、作業性や操作性がよく、綴り動作を安定して行うことができる。
【００４３】
同様に、図８はハンドル部５の基部の保護カバー１４の中央に、周囲が楕円形で中央が緩やかに盛り上った形状の突状部２６を形成したもので、この場合も、ステープラを逆持ちする場合に親指が外れにくく、指掛かりとして有効である。突状部２６に弾性を付与する構成にすれば、ステープラを逆持ちする場合の握りを強くしても弾性があるから、あまり痛くない。
【００４４】
突状部の位置や形状に特別の限定はない。図１に示すものと同様に、保護カバー１４の左右に形成してもよいし、全体が方形であってもよい。同様に、窪み部２４の形状も、親指が作業時に動かない程度にフィットする程度であればよく、図９に示す窪み部２４のように長円形状であってもよい。
【００４５】
さらに、ハンドル部の先端部の樹脂カバーと保護カバーとを一体に設けてもよい。例えば、図１０は樹脂カバー１７と保護カバー４とを連結カバー２７を介して一体に設けた一例で、先端の樹脂カバー１７と保護カバー１４とにはそれぞれ窪み部１９、２４が形成されている。また、図１１も樹脂カバー１７と保護カバー１４とを連結カバー２７を介して一体に設けた例で、連結カバー２７はハンドル部５の外表面を覆うとともに、先端の樹脂カバー１７に窪み部１９が形成され、保護カバー１４の上面部には突状部２６が形成されて、さらにその上端は平らに形成されている。なお、窪み部１９の内側には滑り止め用の小突起２８が形成されている。
【００４６】
上述のように、ハンドル部の先端部の樹脂カバー１７と上記保護カバー１４とを一体に設けた構成によれば、全体のデザインに統一感や一体感を表出することができる。
【図面の簡単な説明】
【００４７】
【図１】本実施形態に係るステープラの斜視図
【図２】（ａ）（ｂ）はそれぞれ上記ステープラの側面図と背面図
【図３】上記ステープラの概略構成を示す断面図
【図４】（ａ）（ｂ）はハンドル部保護カバー取り付け方法を示す説明図で、（ｂ）は（ａ）のＸ−Ｘ線上の断面図
【図５】逆持ち状態を示す説明図
【図６】タッキング時のリムーバの収納溝とタッキング時の収納状態を示す説明図
【図７】他の実施形態に係るステープラの斜視図
【図８】突状部の一実施形態に係るステープラの斜視図
【図９】窪み部の他の実施形態に係るステープラの斜視図
【図１０】樹脂カバーと保護カバーとを一体に設けた実施形態に係るステープラの斜視図
【図１１】樹脂カバーと保護カバーとを一体に設けた他の実施形態に係るステープラの斜視図
【符号の説明】
【００４８】
１    ベース
２    支軸
３    マガジン部
４    ドライバプレート
５    ハンドル部
１４  保護カバー
２４  窪み部
【図１】
2008100341.tif 000003
【図２】
2008100341.tif 000004
【図３】
2008100341.tif 000005
【図４】
2008100341.tif 000006
【図５】
2008100341.tif 000007
【図６】
2008100341.tif 000008
【図７】
2008100341.tif 000009
【図８】
2008100341.tif 000010
【図９】
2008100341.tif 000011
【図１０】
2008100341.tif 000012
【図１１】
2008100341.tif 000013